(57)【要約】【課題】ベッドの底部に載置されたマットレスがずれることを防ぐ、ベッド用マットレスずれ防止具を提供することを目的とする。【解決手段】構造が簡単で既存のベッドに容易に取り付けられるベッド用マットレスずれ防止具であって、ベッドの底部８（床板とサイドレールとフットガードの上部）に載置されたマットレス４との間に差し込まれる差込部２、マットレスのずれを抑えるずれ防止部１、ずれ防止部を支える係止部３からなり、ベッドのサイドレール６と床板５の間、フットボード７と床板５の間に生じる隙間に係止部３を差し込むことを特徴とするベッド用マットレスずれ防止具。【選択図】図１
2017136282.tif 000002
【特許請求の範囲】
【請求項１】
ベッドの底部に載置されたマットレスとの間に差し込まれる差込部、マットレスのずれを抑えるずれ防止部、ずれ防止部を支える係止部からなり、ベッドのサイドレールと床板の間、フットボードと床板の間に生じる隙間に係止部を差し込むことを特徴とするベッド用マットレスずれ防止具。
【請求項２】
差込部と、この差込部の基端から垂直方向に起立させ形成されたずれ防止部と、差込部からずれ防止部とは逆向き垂直方向に起立させ形成された係止部を備えた請求項１記載のベッド用マットレスずれ防止具。
【請求項３】
係止部と差込部を独立させこの独立した係止部を差込部に取り付けるための取付部を備え、かつ差込部にこの係止部がはまり込む嵌合部を設け、係止部を差込部に着脱自在に嵌合する構成とした請求項１記載のベッド用マットレスずれ防止具。
【発明の詳細な説明】
【技術分野】
【０００１】
本発明は、ベッドの底部に載置されたマットレスがずれることを防ぐ、ベッド用マットレスずれ防止具に関するものである。
【背景技術】
【０００２】
従来、ベッド用のマットレスずれ防止具はベッドの底部とマットレスとの間にベッドサイドから差し込んだ差込部の摩擦を増大させるための滑り止めを備えたもの（特許文献１）、差込部の突起をマットレスに食い込ませて係合させるもの（特許文献２）、ベッドの角部分に取り付けるベッドガードで係止部をベッドの底部とマットレスとの間に挟持するものが知られている（特許文献３）。マットレスの横ずれ阻止部材にフックと保持腕を備えさらにベッドにフック受穴、取付欠部、切込穴を設けることで横ずれ阻止部材を保持するもの、ベッドに係止穴を設けその係止穴にマットレス止を差し込んでずれを抑えるものが知られている（特許文献４）。
【先行技術文献】
【特許文献】
【０００３】
【特許文献１】特願２００８−５７６０１
【特許文献２】特願２０１１−８７１８９
【特許文献３】特願２００２−３８１２７８
【特許文献４】特願２００５−１６１７３
【発明の概要】
【発明が解決しようとする課題】
【０００４】
ベッド用のマットレスのずれを防止するため、ベッドの底部とマットレスとの間に差込部を差し込み、ずれ防止部でマットレスのずれを抑えることでマットレスのずれを防止する場合、差込部をベッドの底部とマットレスで挟持するものや、差し込んだ差込部の摩擦力を増大させるなどして寝具のずれを防止するものがある。ベッドにフック受穴や取付欠部などを設けフックや保持腕を係合するものや、係止穴を設けマットレス止めを係合し保持することでマットレスのずれを防止するものがある。
【０００５】
しかしマットレスのずれを抑えるには挟持するだけでは不十分な場合があり、また突起や摩擦力を増大させるための滑り止めを必要とする。ずれ防止部材を保持するためにフックや保持腕やマットレス止を係合するためのフック受穴や取付欠部、係止穴などをベッドに設けなければならなくなり取り付け部分の作りが複雑となってしまう。
【０００６】
そこで本発明は、ベッド用のマットレスのずれを防止するため、突起や滑り止めを必要とせず、ベッドにマットレスずれ防止具を取り付けるためにベッドに係止部を係合するための係止穴などを特に設ける必要がないマットレスずれ防止具を提供する。ベッドの底部とマットレスとの間で差込部を挟持するだけではなく、ベッドのサイドレールと床板の間、フットボードと床板の間に生じる隙間で係止部を支持し、構造が簡単で既存のベッドに容易に取り付けられるベッド用マットレスずれ防止具を提供することを目的とする。
【課題を解決するための手段】
【０００７】
上記課題を解決するため、本発明のベッド用マットレスずれ防止具は構造が簡単で、既存のベッドに容易に取り付けられ、ベッドの底部とマットレスとの間に差し込まれる差込部、マットレスのずれを抑えるずれ防止部、ずれ防止部を支える係止部からなり、ベッドのサイドレールと床板の間、フットボードと床板の間に生じる隙間で係止部を支持することを特徴とする。
【０００８】
ずれ防止部の高さはマットレスの高さが１５０ｍｍ程度のものが多いことから、ベッドの乗り降りに邪魔にならずかつマットレスのずれを抑えられるよう１００ｍｍ程度までとするのが望ましい。
【０００９】
差込部の長さはベッドの底部とマットレスに挟持される部分であるため長く、面積が広いほど安定性は良い。
【００１０】
係止部の厚みはサイドレールと床板の間、フットボードと床板の間の隙間が２ｍｍ程度のものが多いので１ｍｍ程度とするのが好ましい。係止部の高さは床板の厚みが２５ｍｍ〜４０ｍｍ程度のものが多いことから２５〜３０ｍｍ程度と床板の厚みよりも低くするのが望ましい。係止部の横幅は長いほど安定性は良い。
【００１１】
係止部の材料としては１ｍｍ程度と薄くマットレスのずれを抑えられる硬さが必要であるため鉄やステンレス等の金属材料で、形状は板材やアングル材等を例示できる。
【００１２】
ずれ防止部から係止部までの距離はサイドレール、フットボードの厚みが２０〜３０ｍｍのものが多いため２０〜３０ｍｍ程度とすることが望ましい。サイドレール、フットボードの厚みが違うものやマットレスの大きさがベッドの底部よりも大きいものに対応できるよう差込部の嵌合部を２箇所以上設けることで、係止部からのずれ防止部の距離を変えることもできる。嵌合部を長くすることで係止部がはめ込まれる距離を変えて取付部を差込部に取り付けることでも距離を変えることができる。
【００１３】
側方と長手方向へのマットレスのずれを防止できる角部分に取り付けられるマットレスずれ防止具に、サイドレールとフットボード側それぞれのずれ防止部からサイドレールとフットボードの厚み分の距離の差込部に嵌合部を設け係止部をはめ込むことでずれを防止することができる。
【００１４】
ずれ防止部と差込部の材料は金属材料、合成樹脂材料、木質材料を、形状は板材や丸棒等を例示できる。ずれ防止部のへりにゴムなどでクッション等を設けてけが防止を図ることもできる。ベッドの各部の長さは参考値でありマットレスずれ防止具の各部の寸法は適宜変更することも可能である。
【発明の効果】
【００１５】
本発明によれば、ベッド用のマットレスのずれを防止できる、ベッド用マットレスずれ防止具を提供することができる。
【図面の簡単な説明】
【００１６】
【図１】本発明の実施例１のベッド用マットレスずれ防止具の使用状態の斜視図である。
【図２】同ベッド用マットレスずれ防止具の、(a)は斜視図、(b)は使用状態の断面図である。
【図３】本発明の実施例２のベッド用マットレスずれ防止具の、(a)は斜視図、(b)は使用状態の断面図である。
【図４】本発明の実施例３のベッド用マットレスずれ防止具の使用状態の斜視図である。
【図５】同ベッド用マットレスずれ防止具の、(a)は係止部取り付け前の斜視図、(b)は係止部取り付け後の斜視図、(c)は使用状態の断面図である。
【図６】本発明の実施例４のベッド用マットレスずれ防止具の、(a)は係止部取り付け前の斜視図、(b)は係止部取り付け後の斜視図、(c)は使用状態の断面図である。
【図７】本発明の実施例５のベッド用マットレスずれ防止具の斜視図であり、(a)は係止部取りつけ前、(b)は係止部取り付け後である。
【図８】本発明の実施例６のベッド用マットレスずれ防止具の、(a)は係止部取りつけ前の斜視図、(b)は係止部取り付け後の斜視図、(c)使用状態の断面図である。
【図９】本発明の実施例７のベッド用マットレスずれ防止具の斜視図であり、(a)は係止部取り付け前、(b)は係止部取り付け後である。
【図１０】同ベッド用マットレスずれ防止具の使用状態の斜視図である。
【図１１】本発明の実施例８のベッド用マットレスずれ防止具の説明図である。
【図１２】本発明の実施例９のベッド用マットレスずれ防止具の説明図である。
【図１３】本発明の実施例１０のベッド用マットレスずれ防止具の説明図である。
【発明を実施するための形態】
【実施例１】
【００１７】
図１は本発明のベッド用マットレスずれ防止具２０の使用状態の斜視図である。図２(a)は同ベッド用マットレスずれ防止具２０の斜視図である。形状は差込部２と、この差込部２の基端から垂直方向に起立させ形成されたずれ防止部１と、係止部３を差込部２からずれ防止部１とは逆向き垂直方向に起立させ形成したものである。
【００１８】
図１、２(a)において、ベッド用マットレスずれ防止具２０は横幅が１５０ｍｍでベッドの底部８に載置されたマットレス４との間にベッドサイドから２０ｍｍの差込部２を差し込み、高さ６５ｍｍのずれ防止部１でマットレス４を押さえ、ベッドのサイドレール６と床板５の間、フットボード７と床板５の間に生じる隙間に差し込むずれ防止部１を支えるための横幅１５０ｍｍ、高さ３０ｍｍ、厚み１ｍｍの係止部３からなる。
【００１９】
図２(b)は図２(a)のベッド用マットレスずれ防止具２０の差込部２がベッドの底部８とマットレス４に挟持され、係止部３がサイドレール６と床板５に支持されている使用状態の断面図である。マットレス４のずれをずれ防止部１で抑え、ずれ防止部１がずれるのを係止部３がサイドレール６と床板５に支持されることで防いでいる。
【実施例２】
【００２０】
図３(a)は図２の差込部２を延長させて８５ｍｍとし、ベッドの底部８とマットレス４に挟持される面積を広くとったマット用マットレスずれ防止具２１の斜視図である。差込部２の端辺をなくしてコ字型としてもよい。図３(b)は図３(a)の使用状態の断面図であり、ベッド用マットレスずれ防止具２１のベッドの底部８とマットレス４に挟持されている差込部２の面積が広くなったことでより安定性が増している。
【実施例３】
【００２１】
図４は本発明のベッド用マットレスずれ防止具２２の使用状態の斜視図である。図５(a)、(b)は同ベッド用マットレスずれ防止具２２の係止部取り付け前後の斜視図である。係止部３と差込部２を独立させこの独立した係止部３を差込部２に取り付けるための取付部９を設け、かつ差込部２にこの係止部３がはまり込む嵌合部１０を設け、係止部３を差込部２に着脱自在に嵌合するものである。
【００２２】
図４、５(b)において、ベッド用マットレスずれ防止具２２は横幅が１５０ｍｍでベッドの底部８に載置されたマットレス４との間にベッドサイドから長さ８５ｍｍの差込部２を差し込み、差込部２は嵌合部１０をずれ防止部１から２０ｍｍに幅３ｍｍ、長さ１０６ｍｍを持ち、高さ６５ｍｍのずれ防止部１でマットレス４のずれを抑えている。ベッドのサイドレール６と床板５の間、フットボード７と床板５の間に生じる隙間に差し込むずれ防止部１を支える係止部３が２５ｍｍ、取付部９が２５ｍｍ、厚さ１ｍｍ、長さ１００ｍｍの支片からなっている。取付部９に両面テープを貼り差込部２と固定している。
【００２３】
図５(c)は図５(b)のベッド用マットレスずれ防止具２２の差込部２がベッドの底部８とマットレス４に挟持され、係止部３がサイドレール６と床板５に支持されている使用状態の断面図である。図３(b)と同様にマットレス４のずれを防止している。
【実施例４】
【００２４】
図６は図５の差込部２の嵌合部１０を２箇所以上設けることで、ベッドサイドからのずれ防止部１の距離を変えることができるマットレスずれ防止部２３である。図６(a)、(b)は係止部取り付け前後の斜視図である。２箇所目の嵌合部１０を実施例３の嵌合部１０から２０ｍｍに設けた。サイドレール６、フットボード７の厚みが厚い場合やマットレス４の大きさがベッドの底部８よりも大きい場合などに利用できる。
【００２５】
図６(c)は図５(c)と同様の断面図であり、ベッド用マットレスずれ防止具２３のベッドサイドからのずれ防止部１の距離を変えてマットレス４のずれを防止している。
【実施例５】
【００２６】
図７は差込部２をロ字型の嵌合部１０を設けることで、ベッドサイドからのずれ防止部１までの距離を自由に変えることができるベッド用マットレスずれ防止具２４である。図７(a)、(b)は係止部取り付け前後の斜視図である。支片の取付部９と差込部２は両面テープで固定した。差込部２の端辺をなくしてコ字型としてもよい。
【実施例６】
【００２７】
図８は床板５と床板５の隙間に係止部３を差し込みサイドレール６で係止部３を支えるベッド用マットレスずれ防止具２５である。図８(a)、(b)は係止部取り付け前後の斜視図である。図８(c)は使用状態の断面図であり、床板５と床板５の間の係止部３がサイドレール６で支えられている。サイドレール６と床板５との間の隙間がない場合にも対応できマットレス４の側方へのずれを防止することができる。
【実施例７】
【００２８】
図９は角部分に取り付けるマットレスずれ防止具２６であり、図(a)、(b)は係止部３取り付け前後の斜視図である。ずれ防止部１が側方と長手方向にあり、それぞれのずれ防止部１から２０ｍｍに嵌合部１０を持ち係止部３がはめ込まれている。マットレス４のずれを防止している。
【００２９】
図１０は図９のベッド用マットレスずれ防止具２６の使用状態の斜視図である。係止部３をベッドのサイドレール６と床板５の間、フットボード７と床板５の間の隙間に差し込むことで、ベッドの底部８とマットレス４で差込部２を挟持するのみの場合よりも、よりマットレス４のずれを防止できる。
【実施例８】
【００３０】
図１１は棒状部材を用いた場合のベッド用マットレスずれ防止具２７の説明図である。棒状部材からずれ防止部１、差込部２を加工し、係止部３を差込部２に取り付けたベッド用マットレスずれ防止具２７である。棒状部材を用いた場合においてもマットレス４のずれを防止することができる。
【実施例９】
【００３１】
図１２は棒状部材を用い差込部２を図１１よりも長くしたベッド用マットレスずれ防止具２８の説明図である。差込部２を長くすることでより安定性が増している。
【実施例１０】
【００３２】
図１３は棒状部材を用いずれ防止部１の上部の端辺があるベッド用マットレスずれ防止具２９の説明図である。実施例１のベッド用マットレスずれ防止具２０のずれ防止部１と差込部２が棒状部材で作られた形状をしている。棒状部材を用いても実施例１と同様にマットレスのずれを防止することができる。
【００３３】
実施例１〜１０では材料は金属材料、合成樹脂材料、木質材料を使用した。ずれ防止部のへりにゴムなどでクッション等を設けてけが防止を図ることもできる。
【符号の説明】
【００３４】
１      ずれ防止部
２      差込部
３      係止部
４      マットレス
５      床板
６      サイドレール
７      フットボード
８      ベッドの底部（床板とサイドレールとフットボードの上部）
９      取付部
１０    嵌合部
２０    ベッド用マットレスずれ防止具
２１    ベッド用マットレスずれ防止具
２２    ベッド用マットレスずれ防止具
２３    ベッド用マットレスずれ防止具
２４    ベッド用マットレスずれ防止具
２５    ベッド用マットレスずれ防止具
２６    ベッド用マットレスずれ防止具
２７    ベッド用マットレスずれ防止具
２８    ベッド用マットレスずれ防止具
２９    ベッド用マットレスずれ防止具
【図１】
2017136282.tif 000003
【図２】
2017136282.tif 000004
【図３】
2017136282.tif 000005
【図４】
2017136282.tif 000006
【図５】
2017136282.tif 000007
【図６】
2017136282.tif 000008
【図７】
2017136282.tif 000009
【図８】
2017136282.tif 000010
【図９】
2017136282.tif 000011
【図１０】
2017136282.tif 000012
【図１１】
2017136282.tif 000013
【図１２】
2017136282.tif 000014
【図１３】
2017136282.tif 000015